(57)【要約】【課題】一対の鋏体を交差させて交差部を枢軸により連結して開閉可能とし、両鋏体は刃が枢軸を曲率中心とする円弧状の刃部及び刃部間の溝より構成されて櫛歯状をなし、鋏を閉じるとき、両刃体の前記刃部及び溝がそれぞれ合わさる梳き鋏において、鋏を閉じたとき、刃部の刃先のエッジが溝内に突出して鋏捌き時に髪の毛に引っ掛ることがないようにする。【解決手段】刃部１１ａ、１２ａは刃先に向かって先細りの形態をなすと共に、溝１１ｂ、１２ｂは先端の開口に向かって拡開する形態をなす。【選択図】図６
2012239590.tif 000002
【特許請求の範囲】
【請求項１】
一対の鋏体を交差させて交差部を枢軸により連結して開閉可能とし、両鋏体は刃が刃部及び刃部間の溝より構成されて櫛歯状をなし、鋏を閉じるとき、両刃体の前記刃部及び溝がそれぞれ合致する梳き鋏であって、前記刃部は先端の刃先に向かって先細りに形成されると共に、溝は先端の開口に向かって拡開して形成されることを特徴とする梳き鋏。
【請求項２】
前記刃部及び刃部間の溝がそれぞれ枢軸を曲率半径とする円弧状に形成される請求項１記載の梳き鋏において、前記刃部が先細りをなすと共に、前記溝が開口に向かって拡開することを特徴とする梳き鋏。
【発明の詳細な説明】
【技術分野】
【０００１】
本発明は、主として理美容院で用いられる梳き鋏に関する。
【背景技術】
【０００２】
梳き鋏は通常、一対の鋏体を交差させて枢軸により開閉可能に連結し、図１に示すように一方の鋏体１は刃１ａが連続し、他方の鋏体２は刃２ａが櫛歯状をなしているもので、整髪時には両刃体１、２の刃１ａ、２ａが噛み合った部分で髪の毛が切断され、櫛歯状の刃２ａでは刃部間の溝２ｂに髪の毛３が入り込み、髪の毛の切断が間引きして行われるようになっている。
【０００３】
梳き鋏にはこのほか、図２に示すように両刃体５、６の刃が共に櫛歯状をなすもの、図３に示すように両刃体８、９の櫛歯状をなす刃の刃部８ａ及び刃部間の溝８ｂが枢軸を曲率中心とする円弧状をなすもの（特許文献１）なども知られる。
【先行技術文献】
【特許文献】
【０００４】
【特許文献１】実用新案登録第２５８４５８７号
【発明の概要】
【発明が解決しようとする課題】
【０００５】
図１に示す梳き鋏では、鋏を閉じて毛髪を切断したのち、図示する状態で鋏を紙面と直交する方向に髪の毛より滑らせながら引抜くときに、髪の毛３が溝２ｂ間の刃１ａの刃先に当たって引っ掛り、髪の毛を引張ったり、毛羽立ったりする。この点、図２に示す梳き鋏では、溝内の髪の毛が刃先に引っ掛りにくく、また溝幅は狭くても鋏を閉じたときに両刃体の溝７が合わさることにより、溝７の範囲が刃体５、６の幅方向に長く広がって溝５ｂ、６ｂのスペースが拡大し、溝内に入り込んだ髪の毛の束がゆったりとして刃部５ａ、６ａに押し付けられることがなく、鋏のスムースな操作が可能となるが、鋏を操作する際、溝内に突出する刃部５ａ、６ａの刃先のエッジａに髪の毛が引っ掛って上記と同様の問題を生じがちとなる。
【０００６】
図３に示す鋏では、鋏を閉じたとき、両刃体８、９の溝８ｂ、９ｂが合致して刃のエッジが溝内に突出しないようにしているが、この場合でも、枢軸に若干でも遊びがあったり、製作精度によって鋏を閉じたとき、図の一点鎖線で示すように両刃体８，９がその長手方向に相対的にずれると、鋏を閉じたとき刃のエッジが溝内に突出するようになることがある。
【０００７】
本発明は、鋏を閉じたとき、刃のエッジが溝内に突出することがないようにした梳き鋏を提供することを目的とする。
【課題を解決するための手段】
【０００８】
請求項１に係わる発明は、一対の鋏体を交差させて交差部を枢軸により連結して開閉可能とし、両鋏体は刃が刃部及び刃部間の溝より構成されて櫛歯状をなし、鋏を閉じるとき、両刃体の前記刃部及び溝がそれぞれ合わさる梳き鋏であって、前記刃部は先端の刃先に向かって先細りに形成されると共に、溝は先端の開口に向かって拡開して形成されることを特徴とする。
【０００９】
請求項２に係わる発明は、前記刃部及び刃部間の溝が枢軸を曲率半径とする円弧状に形成される請求項１に係わる発明の梳き鋏において、前記刃部が先細りをなすと共に、前記溝が開口に向かって拡開することを特徴とする。
【発明の効果】
【００１０】
本発明の梳き鋏によると、刃部が先細りの形態をなすことにより、枢軸に若干の遊びがあったり、製作精度によって刃部が刃体の長手方向に多少ずれたとしても鋏を閉じたとき、一方の刃体の刃部先端の刃先が他方の刃体の刃部に収まり易くなり、刃部間の溝に刃先が突出するのを防止でき、したがって髪の毛が刃先に引っ掛って髪の毛が引張られたり、毛羽立ったりするのを防止することができること、刃部は根元が幅広で太く、強度を持たせることができること、刃部が強度を有することにより製作時や刃研ぎ時或いは使用時に刃部の折損が生じ難いことなどの効果を有する。
【００１１】
請求項２に係わる発明によると、刃先が刃部間の溝に突出するのをより確実に防ぐことができる。
【図面の簡単な説明】
【００１２】
【図１】梳き鋏の要部の平面図。
【図２】梳き鋏の別の例の要部の平面図。
【図３】梳き鋏の更に別の例の要部の平面図。
【図４】本発明に係わる梳き鋏の要部の平面図。
【図５】図４に示す梳き鋏の一部の拡大図。
【図６】閉じた状態における梳き鋏の一部の更なる拡大図。
【発明を実施するための形態】
【００１３】
以下、本発明の実施形態の梳き鋏について図面により説明する。
図４は、本実施形態の梳き鋏を示すもので、一対の刃体１１、１２よりなり、両刃体１１、１２を交差させて交差部を枢軸１３により連結して開閉可能としている。
【００１４】
各刃体１１、１２はそれぞれ、刃が刃部１１ａ、１２ａと刃部間の溝１１ｂ、１２ｂよりなって櫛歯状をなしており、前記刃部１１ａ、１２ａと溝１１ｂ、１２ｂは、図３に示すような枢軸１３を曲率半径とする一定幅の円弧状の刃部及び刃部間の溝において、各刃部１１ａ、１２ａを先端の刃先に向かって先細りをなす形態とし、また刃部間の溝１１ｂ、１２ｂを先端の開口に向かって拡開した形態としている。
【００１５】
図６は、両刃体１１、１２を閉じて両刃体の溝１１ｂ、１２ｂが合わさった状態を示すもので、各刃部１１ａ又は１２ａはそれぞれ対向する刃部１２ａ又は１１ａに重なり、各刃部１１ａ又は１２ａの刃先は対向する刃部１２ａ又は１１ａの範囲内に収まり、刃先のエッジが刃部１１ａ又は１２ａより溝１１ｂ、１２ｂ内に突出することがないようにしている。すなわち鋏を閉じたときに刃先の巾ｄは、該刃先が位置する刃部１１ａ、１２ａの巾ｅより小であるため、ｅ−ｄの範囲内で枢軸１３でのブレ或いは製作誤差により刃体１１又は１２がその長手方向にずれても刃先のエッジが溝内に突出することはない。
【００１６】
また鋏を閉じて両刃体１１、１２の溝１１ｂ、１２ｂが合わさった図６の状態では、溝１１ｂ、１２ｂは断面算盤玉をなし、溝１１ｂ、１２ｂ内に入り込んだ髪の毛３の束は溝内の十分なスペース上の余裕により刃部１１ａ、１２ａに押し付けられることがなく、そのため鋏は髪の毛３より容易に抜け出るようになり、鋏捌きが容易に行えるようになる。
【００１７】
本実施形態の梳き鋏ではまた、刃部１１ａ、１２ａは根元が太く形成され、強度を有するため製作時や刃研ぎ時、或いは使用時に折損が生じ難い。
なお、刃部１１ａ、１２ａの刃先は、図示する実施形態では平坦な直線状になっているが、凹形又は波形に形成されていてもよい。これにより鋏閉時に髪の毛を確実に捕らえて切断することができる。
【符号の説明】
【００１８】
１１、１２・・刃体
１１ａ、１２ａ・・刃部
１１ｂ、１２ｂ・・溝
１３・・枢軸
【図１】
2012239590.tif 000003
【図２】
2012239590.tif 000004
【図３】
2012239590.tif 000005
【図４】
2012239590.tif 000006
【図５】
2012239590.tif 000007
【図６】
2012239590.tif 000008